(57)【要約】      （修正有）【課題】フィルムシートを用いて容易に組み立てられ、かつ十分な強度を持つ組み立てフィギアを提供する。【解決手段】本考案はフィルムシートを加工し、複数箇所の対になる差し込みａ１〜ｓ１，ｖ１と切り込みａ２〜ｓ２，ｖ２を作製し、接着道具および切り離しの道具なしで、頭部Ｈ１，Ｈ２と両腕部Ａ１，Ａ２が可動可能なフィギアを組み立てられる考案である。【選択図】図１
0003202094.tif 000002
【実用新案登録請求の範囲】
【請求項１】
薄地のフィルムシート材料にトムソン型を使用して打ち抜いた複数の部品を配置し、それらの部品をシートから外して組み合わせることで、糊やテープ等の接着道具を用いる事無く、かつ鋏やカッターなどの切り離し用の道具も用いずに簡単に人型の模型を作製できる事を特徴とする組み立てフィギア。
【請求項２】
シートから外して組み立てた胴体部分側面を貫通する、シートより組み立てた三角柱の軸の端部を、左右の腕部に施した９角形の孔を固定することで腕部を可動させることが出来る請求項１に記載の組み立てフィギア。
【請求項３】
シートから外して組み立てた頭部は底面にシートに固定された一辺を直径とするトムソンにより打ち抜かれた半円弧状のタブを並列して備える。また、組み立てられた胴体上部にも頭部と同様のタブを備え、一方は固定された一辺を基準にシート表面から隆起するように起こし、一方はシートの裏面へ押し込むことで雄雌の関係が生じ、それらを組み合わせる事で頭部を可動させることが出来る請求項１に記載の組み立てフィギア。
【請求項４】
前記の材料に対する印刷は、オフセット印刷を用いて絵や文字、写真を印刷した請求項１に記載の組み立てフィギア。
【考案の詳細な説明】
【技術分野】
【０００１】  本考案は主として、フィルムシート材料に対して施された、多目的に使用できる利便性の高いノベルティー商品に関するものである。
【背景技術】
【０００２】  従来の紙で作製していた組み立てフィギアは、組み立てるときにパーツ固定用の糊やテープ、シートからパーツを分離する為のはさみやカッター等の道具が必要だった。また、紙製の組み立てフィギアは水等の液体でぬれた場合に、破れ、たわみなどが生じ、その品質が大きく劣化する。
【考案が解決しようとする課題】
【０００３】  ノベルティとして本物品を手にした場合に、その場で組み立てて使用する事ができる様に固定に用いる部分の構造を組みやすく、外れにくいものとした。また、耐水性の高いフィルムシートを使用する事で、水に強い商品を作製する事ができる。
【課題を解決するための手段】
【０００４】    トムソンで打ち抜いた各部分の接合部分の構造を組み立てやすく、かつ外れにくくするために、フック部に切り込みを入れる、かつフィルムシートの柔軟な収縮性を利用し、接合部を噛み合わせる事で強固な構造を作り出す事ができる。
【考案実施の形態】
【０００５】  図１は本考案の組み立てフィギア（１）の視図である。図１で組み立てフィギアにはフック構造を持った差し込み（ａ１）（ｂ１）（ｃ１）（ｄ１）（ｅ１）（ｆ１）（ｇ１）（ｈ１）を持つ頭部１（Ｈ２）と、これと対になる切り込み（ａ２）（ｂ２）（ｃ２）（ｄ２）（ｅ２）（ｆ２）（ｇ２）（ｈ２）を備えた頭部２（Ｈ１）、フック構造を備えた差し込み（ｉ１）（ｊ１）（ｋ１）とこれと対になる切込み（ｉ２）（ｊ２）（ｋ２）を持つ腕部（Ａ１）とフック構造を備えた差し込み（ｌ１）（ｍ１）（ｎ１）とこれと対になる切込み（ｌ２）（ｍ２）（ｎ２）を持つ腕部（Ａ２）、同様にフック構造を備えた差し込み（ｏ１）（ｐ１）（ｑ１）（ｒ１）（ｓ１）（ｔ１）（ｕ１）とこれと対になる切込み（ｏ２）（ｐ２）（ｑ２）（ｒ２）（ｓ２）（ｔ２）（ｕ２）を持つ胴体部（Ｂ）、腕部（Ａ１）（Ａ２）を固定するための軸（Ｊ）が大部分をトムソンで打ち抜かれ部分的にシートに固定された状態で備わっている。このことで鋏やカッターなどの切り離し用の道具を必要としないでも、模型を組み立てられる構造となっている。
【０００６】  図２は本考案の組み立てフィギア（１）に備わる頭部１（Ｈ２）と頭部２（Ｈ１）を組み合わせたもの、並びに胴体部（Ｂ）に腕部（Ａ１）（Ａ２）を固定したものの斜図である。トムソン型で折り筋加工、打ち抜き加工された頭部２（Ｈ１）に施されたタブ（Ｔ１）（Ｔ２）を、胴体（Ｂ）上部に施されたタブ（Ｔ３）（Ｔ４）を押し込むことで表出する孔に組み合わせる事で、頭部１（Ｈ２）と頭部２（Ｈ１）を組み合わせたものが、可動可能になる。
【０００７】  図３は本考案の組み立てフィギア（１）に備わる頭部１（Ｈ２）と頭部２（Ｈ１）を組み合わせたものと胴体部（Ｂ）を嵌合させたものに腕部（Ａ１）（Ａ２）を固定するための軸（Ｊ）を胴体部（Ｂ）に施した孔（Ｋ１）を利用して貫通させたものである。腕部（Ａ１）（Ａ２）に施した孔（Ｋ３）（Ｋ４）と軸（Ｊ）の両端が嵌合し固定されることで腕部（Ａ１）（Ａ２）は可動可能となる。
【図面の簡単な説明】
【０００８】
【図１】本考案の組み立てフィギアの視図
【図２】図１の組み立てフィギア胴体部と頭部の斜図
【図３】図１の組み立てフィギア腕部勘合部の視図
【符号の説明】
【０００９】１    組み立てフィギア
Ｈ１  頭部
Ｈ２  頭部
Ｂ    胴体部
Ａ１  腕部
Ａ２  腕部
Ｊ    軸
Ｋ１  孔１
Ｋ２  孔２
Ｋ３  孔３
Ｋ４  孔４
Ｔ１  タブ１
Ｔ２  タブ２
Ｔ３  タブ３
Ｔ４  タブ４
ａ１  差し込み１
ｂ１  差し込み２
ｃ１  差し込み３
ｄ１  差し込み４
ｅ１  差し込み５
ｆ１  差し込み６
ｇ１  差し込み７
ｈ１  差し込み８
ｉ１  差し込み９
ｊ１  差し込み１０
ｋ１  差し込み１１
ｌ１  差し込み１２
ｍ１  差し込み１３
ｎ１  差し込み１４
ｏ１  差し込み１５
ｐ１  差し込み１６
ｑ１  差し込み１７
ｒ１  差し込み１８
ｓ１  差し込み１９
ｔ１  差し込み２０
ｕ１  差し込み２１
ｖ１  差し込み２２
ａ２  差し込み１
ｂ２  差し込み２
ｃ２  差し込み３
ｄ２  差し込み４
ｅ２  差し込み５
ｆ２  差し込み６
ｇ２  差し込み７
ｈ２  差し込み８
ｉ２  差し込み９
ｊ２  差し込み１０
ｋ２  差し込み１１
ｌ２  差し込み１２
ｍ２  差し込み１３
ｎ２  差し込み１４
ｏ２  差し込み１５
ｐ２  差し込み１６
ｑ２  差し込み１７
ｒ２  差し込み１８
ｓ２  差し込み１９
ｔ２  差し込み２０
ｕ２  差し込み２１
ｖ２  差し込み２２
【図１】
0003202094.tif 000003
【図２】
0003202094.tif 000004
【図３】
0003202094.tif 000005
【手続補正書】
【提出日】平成27年10月28日(2015.10.28)
【手続補正１】
【補正対象書類名】実用新案登録請求の範囲
【補正対象項目名】全文
【補正方法】変更
【補正の内容】
【実用新案登録請求の範囲】
【請求項１】
薄地のフィルムシート材料において、接着道具を用いることなく互いに接合可能な複数の部品が打ち抜かれていることを特徴とする組立フィギア。
【請求項２】
シートから外して組み立てられた胴体部分、三角柱の軸及び左右の腕部を有する組み立てフィギアであって、前記胴体部分の側面には貫通孔が設けられ、前記三角柱の軸はその両端が突出するように前記貫通孔に挿入され、前記左右の腕部それぞれに設けた九角形の孔と前記三角形の軸の端部とは嵌合され、前記左右の腕部が可動となっていることを特徴とする請求項１に記載の組み立てフィギア。
【請求項３】
シートから外して組み立てられた頭部および胴体上部を有する組み立てフィギアであって、前記頭部は、底面に、シートに固定された一辺を直径とする打ち抜かれた半円弧状のタブを複数並列して備え、前記胴体上部も前記頭部のタブと同様のタブを複数並列して備え、前記胴体上部のタブ又は前記頭部のタブの一方は固定された一片を基準にシート表面から隆起するように起こされ、他方のタブはシートの裏側へ押し込まれることで雄雌の関係が生じており、それらのタブが組み合わせられて頭部が可動となっていることを特徴とする請求項１に記載の組み立てフィギア。
【請求項４】
前記フィルムシート材料には、オフセット印刷により絵、文字及び写真が印刷されていることを特徴とする請求項１に記載の組み立てフィギア。